(57)【要約】      （修正有）【課題】耳や顔面などに貼り付けて、ワンポイントのアクセサリーとして利用でき、同時につぼ刺激効果が期待できる新規で安価な構成の装飾薬効シートを提供する。【解決手段】表面には宝石、貴金属などの装飾粒１３が固着され、裏面には経皮剤を固着した薬剤部を設けるとともに、その薬剤部の周囲に粘着面１１ａを形成して成る皮膚貼着フィルム１１と、前記薬剤部に対応した孔部１５を有し、前記皮膚粘着フィルム１１を剥離可能に貼着する剥離面１２ａを形成した支持シート１２とを組合わせて構成されている。【選択図】図１
0003169703.tif 000002
【実用新案登録請求の範囲】
【請求項１】
表面には宝石、貴金属などの装飾粒が固着され、裏面には経皮剤を固着した薬剤部を設けるとともに、その薬剤部の周囲に粘着面を形成して成る皮膚貼着フィルムと、
前記薬剤部に対応した孔部を有し、前記皮膚粘着フィルムを剥離可能に貼着する剥離面を形成した支持シートとを組合わせて構成された装飾薬効シート。
【請求項２】
請求項１において、
支持シートは、前記孔部の周囲に切込みを更に形成している装飾薬効シート。
【請求項３】
請求項１において、
支持シートは、前記孔部の周囲から、該支持シートの縁端に延びる切込みを更に形成している装飾薬効シート。
【請求項４】
請求項１〜３のいずれかにおいて、
前記薬剤部は、炭酸マグネシウム粉末を主成分とした経皮剤を固着させたものである装飾薬効シート。
【請求項５】
請求項１〜３のいずれかにおいて、
前記薬剤部は、金属粉末を主成分とした経皮剤を固着させたものである装飾薬効シート。
【考案の詳細な説明】
【技術分野】
【０００１】
本考案は、アクセサリーとして皮膚に貼付けることで、経皮剤によるつぼ刺激を行うことができる、新規な構成の装飾薬効シートに関する。
【背景技術】
【０００２】
従来より、耳たぶなどのつぼを適切に刺激すれば、美容あるいは健康増進に効果があることが認められており、そのための健康器具が種々提案されている。
例えば、次の特許文献では、金粒あるいはガラス粒を皮膚面に押付け保持するため、粘着テープの裏面に、つぼを刺激するための金粒あるいはガラス粒を、粘着テープの表面に、宝石などの飾り粒を一体化させて固着して、痩身効果を図るものが提案されている。
【先行技術文献】
【特許文献】
【０００３】
【特許文献１】実用新案登録第3120962号公報
【考案の概要】
【考案が解決しようとする課題】
【０００４】
しかしながら、上記特許文献による構成では、つぼ刺激などの効果と、装飾物としての美観とに兼ね合いがあり、いずれも中途半端になっている。
すなわち、金粒あるいはガラス粒を大粒にすれば、つぼを刺激する能力は高くなるものの、テープ部分も厚くなるため、皮膚に貼り付けられたときに目立ち、また、皮膚面に貼着したときにも脱落しやすくなる。
一方、金粒あるいはガラス粒を小粒にすれば、テープ部分も薄くなって目立ちにくくなるが、つぼを刺激する能力も小さくなってしまう。
【０００５】
そこで本考案は、皮膚面への貼付けが容易で、かつ美観にも優れ、つぼ刺激などにも充分な効果が期待できる新規で安価な装飾薬効シートを提供することを目的とする。
【課題を解決するための手段】
【０００６】
上記目的を達成するため提案される本考案の装飾薬効シートは、表面には宝石、貴金属などの装飾粒が固着され、裏面には経皮剤を固着した薬剤部を設けるとともに、その薬剤部の周囲に粘着面を形成して成る皮膚貼着フィルムと、前記薬剤部に対応した孔部を有し、前記皮膚粘着フィルムを剥離可能に貼着する剥離面を形成した支持シートとを組合わせて構成されている。
【０００７】
このような装飾薬効シートは、支持シート孔部の周囲に切込みを形成しておけば、支持シートの孔部を折り曲げるだけでフィルムの剥離を容易に行なうことができる。
【０００８】
また、切込みは、孔部の周辺から支持シートの縁端に通じるように形成してもよい。
【０００９】
また、薬剤部は、炭酸マグネシウム粉末を主成分とした経皮剤を塗布したものや、金属粉末を主成分とした経皮剤を塗布したものを貼着固定して形成してもよい。
【考案の効果】
【００１０】
本考案による装飾薬効シートによれば、装飾粒は皮膚粘着フィルムの表面に固着され、裏面には経皮剤を固着して薄い薬剤部を形成しているので、皮膚粘着フィルムを直接つぼに貼付けても、目立たず、装飾粒はあたかもピアスのように見え、装飾的効果もある。
【００１１】
また、皮膚粘着フィルムを剥離可能に貼着する支持シートは薬剤部に対応した孔部を設けているため、皮膚粘着フィルムを貼り付けた後に、裏返して、孔部から粉末の経皮剤を塗布すれば、薬剤部が形成され、製造も容易である。
更に、支持シートも厚さや孔部の寸法を変えることで、薬剤部に固着させる経皮剤の量を容易に変えて、薬効を調節することができる。
【図面の簡単な説明】
【００１２】
【図１】本考案の装飾薬効シートの一実施例を示す斜視図である。
【図２】（ａ）、（ｂ）は、それぞれ支持シートの平面、側面を模式的に示す説明図である。
【図３】本考案の他例を示す説明図である。
【考案を実施するための形態】
【００１３】
本考案の装飾薬効シートＡは、図１、図２に示しているように、表面に宝石片や貴金属などの装飾粒１３を貼着し、裏面には経皮薬剤を固着して薬剤部１４を設けた皮膚貼着フィルム１１と、その皮膚貼着フィルム１１を剥離可能に貼り付けて、保存しておくための支持シート１２とで構成されている。
【００１４】
皮膚貼着フィルム１１は、皮膚に貼り付けたとき目立たないように、ベージュ色または無色透明な樹脂材からなるフィルム地で構成される。
フィルム１１の表面には、宝石や貴金属などの立体的な装飾粒１３が固着され、裏面は粘着面１１ａを形成している。
【００１５】
装飾粒１３は、フィルム１１に安定して固着されるものであれば、どのような素材、形状でもよい。具体的には、ワンポイントアクセサリーの用途を考慮して、各種の天然宝石、人工宝石、着色ガラス、金属、あるいはメッキされたプラスチック彫刻などが想定されるが、皮膚貼着フィルム１１は使い捨てされることから、安価かつ美観に優れるものが望ましい。
予め、表面に宝石や貴金属を予め固着した粘着フィルムを剥離シートに支持させて、ワンポイントのアクセサリーとして用いるように構成された、市販品を使用してもよい。
【００１６】
薬剤部１４は、人体のつぼに刺激を与える粉末の薬効成分をバインダーとともに混練した、経皮剤を円盤状に固めて構成される。
例えば、炭酸マグネシウムを主たる薬効成分とすれば鎮痛効果が期待でき、更に銅、アルミニウム、銀、金などの粉末を添加すれば、使用中の違和感を軽減させるとともに、副次的な効果も期待できる。なお、薬剤部による薬効は、皮膚との接触面積に大きく関わっているので、薬剤部の寸法によって強弱を調節することができる。
【００１７】
経皮剤の具体例としては、炭酸マグネシウムの粉末に、銅粉末とアルミニウム粉末とを添加すれば、鎮痛効果による違和感が軽減されるとともに、慢性痛や慢性症状も緩和される。また炭酸マグネシウムの粉末に、金（銀）粉末とアルミニウム粉末を添加しても同様の効果が得られる。
このような経皮剤は、耳のつぼなどに貼付けると、全身の引締め効果が見られ、特に顔の弛みやしわの軽減、瞼の弛み防止、バストアップ、ウエストの引締め、ヒップアップなどシェイプアップなどが期待できる。またこれら以外の金属粉末であってもよく、有用な効果が予測される。
【００１８】
薬剤部１４は、形状は特に制限されないが、割れや欠けを防止するためには角がない円形とするのが望ましい。
また、フィルム１１の裏面の全体を粘着面１１ａとし、そこに粉末の経皮剤を塗布し、粘着面の粘着力によって保持するようにすれば、製造も簡単でコストも抑えられる。
【００１９】
支持シート１２は、皮膚貼着フィルム１１の裏面に形成される粘着面１１ａを剥離可能に貼着するため、表面は剥離面１２ａとなっており、金属、樹脂あるいは紙素材で構成される。
図に示す実施例では、支持シート１２の表面は剥離面１２ａを形成しており、そこに皮膚貼着フィルム１１を貼着して支持する。また、皮膚貼着フィルム１１の裏面には薬剤部１４を形成するため、薬剤部１４に対応した孔部１５を形成している。
このような構造によれば、孔部１５を塞ぐように皮膚貼着フィルム１１の粘着面１１ａを支持シート１２の剥離面１２ａに貼着した後、支持シート１２の裏面を向けて、それぞれの孔部１５の開口から経皮剤を塗布して皮膚貼着フィルム１１の粘着面１１ａに経皮剤を固着させて、薬剤部１４を形成することができるので製造が容易である。
【００２０】
更に、支持シート１２は、厚さや、孔部１５の開口寸法を変えることで、薬剤部１４として塗布する経皮剤の量を容易に変えて、薬効を調整することもできる。
なお、紙素材で支持シート１２を構成する場合は、皮膚貼着フィルム１１を容易に剥がせるように、樹脂あるいは金属コートを施して剥離面１２ａを形成してもよい。
【００２１】
１２ｂは、カバーシートであり、支持シート１２の孔部１５から露見した経皮剤を隠すために、支持シート１２の裏面に被せて使用される。このようなカバーシート１２ｂを使用すれば、経皮剤が空気に触れたり、水分や湿度が入り込んで変質することを有効に防止できる。
また、支持シート１２には、孔部１５の周辺に切込み１６を形成しておけば、その部分を曲げるだけで、皮膚貼着フィルム１１が支持シート１２から容易に剥がれるので、取扱いが極めて容易になる。
図１、図２に示した例では、切込み１６は、皮膚貼着フィルム１１の陰に隠れるように、部分的に形成されているので、切込み１６の隙間から外気や水分が浸入して薬剤部１４を劣化させることもない。
【００２２】
また、図１に示す実施例では、１枚の支持シート１２に３つの皮膚貼着フィルム１１が支持されているが、１枚の支持シート１２が支持できる皮膚貼着フィルム１１は、特に限定されず、支持シート１２を縦方向に連設して、多数の皮膚貼着フィルム１１が２次元的に配列支持できるようにしてもよい。
【００２３】
図３に示した例では、切込み１６は、孔部１５の周辺から支持シート１２の縁端に通じるように形成されているが、このような態様であれば、支持シート１２を曲げるだけで、皮膚貼着フィルム１１を孔部１５から一層容易に剥離させることができる。
【００２４】
ついで、本考案の装飾薬効シートＡの使用方法を説明すると、まず、皮膚貼着フィルム１１を貼り付ける皮膚部分を薬用アルコールあるは化粧水などによって消毒し、脱脂する。
その後、支持シート１２から皮膚貼着フィルム１１を順次剥がし、患部に貼り付ける。
同様にして、必要なだけの皮膚貼着フィルム１１を皮膚に貼り付ける。
【００２５】
本考案によれば、皮膚貼着フィルム１１を患部に貼着して、薬剤部１４の薬効によってつぼ刺激などを行うので、薬剤部１４を薄く形成しても充分な効果が期待できる。
また、薬剤部１４を薄く形成することで、耳たぶや顔面などに貼り付けても、皮膚粘着フィルム１１は目立たず、装飾片１３はピアスのように見えるので、ワンポイントのアクセサリーとして利用できる。
【符号の説明】
【００２６】
Ａ          装飾薬効シート
１１          皮膚貼着フィルム
１１ａ        粘着面
１２          支持シート
１２ａ        その剥離面
１２ｂ        カバーシート
１３          装飾粒
１４          薬剤部
１５          孔部
１６          切込み
【図１】
0003169703.tif 000003
【図２】
0003169703.tif 000004
【図３】
0003169703.tif 000005